(57)【要約】【課題】本発明は釣糸をガイドリングに誘導する支脚のエッジ部分に釣糸が接触して傷付くことを防止しながらガイドリングに釣糸を円滑に案内できる釣糸ガイドを提供することを目的とする。【解決手段】本発明はガイドリング１１を保持する保持枠１２から下側後方に延び前記ガイドリング１１に釣糸を案内する左右２本の支脚１５を備えた釣糸ガイドにおいて、前記左右２本の支脚１５は前記ガイドリング１１に釣糸を案内するガイド面を形成し、該ガイド面は左右支脚の中央側に位置する面部分が後方に位置し、外端側に位置する面部分が前方に位置する傾斜面とした。【選択図】　　図１
2004024079.tif 000002
【特許請求の範囲】
【請求項１】
ガイドリングを保持した保持枠と、該保持枠から下側後方に延び前記ガイドリングに釣糸を案内する左右２本の支脚と、該支脚の下端に接続すると共に釣竿に取り付ける足部とを備えた釣糸ガイドにおいて、
前記左右２本の支脚はそれぞれ竿元側から繰り出した釣糸を受け前記ガイドリングに案内するガイド面を有し、該ガイド面は前記左右支脚間中央寄りの内端側に位置する面部分が後方に位置し、外端側に位置する面部分が前方に位置するように傾斜することを特徴とする釣糸ガイド。
【請求項２】
ガイドリングを保持した保持枠と、該保持枠から下側後方に延びる左右２本の支脚と、該支脚と連続する足部とを板材から一体に形成し、前記左右の支脚における板材の後ろ側へ向く板面の左右支脚間中央寄りの内端側に位置する面部分が後方に位置し、前記板面の外端側に位置する面部分が前方に位置する向きに前記支脚の板材をねじり形成したことを特徴とする釣糸ガイド。
【請求項３】
前記支脚のねじり形成した部分のねじり角度を前後方向軸に対して４０度から７５度の範囲に形成したことを特徴とする請求項２に記載の釣糸ガイド。
【請求項４】
前記左右の支脚の下部を１本にまとめ、かつ、１本にまとめた前記支脚の下部に足部に至る折曲げ部を形成したことを特徴とする請求項１、請求項２、又は請求項３に記載の釣糸ガイド。
【請求項５】
請求項１、請求項２、請求項３、又は請求項４の釣糸ガイドを竿管に取り付けてなることを特徴とする釣竿。
【発明の詳細な説明】
【０００１】
【発明の属する技術分野】
本発明は釣竿に取り付けたリールから繰り出した釣糸を案内する釣糸ガイド及びその釣糸ガイドを備えた釣竿に関する。
【０００２】
【従来の技術】
従来、釣竿を振り、釣の仕掛けを投擲する際にリールから繰り出した釣糸を案内する釣糸ガイドとしては図１０又は図１１に示す形式のものが知られている（実公平１−１７１７３号公報を参照）。この形式の釣糸ガイドはガイドリング１を保持した保持枠２から下むき後方へ延びる２本の支脚３を形成し、支脚３の先端に釣竿取付け用の足部４を形成している。２本の支脚３はリング状の保持枠２の左右側辺部位から下側後方に位置する１本の足部４に向かってＶの字状に延出する。
【０００３】
又、図１０で示す釣糸ガイドは足部４が１つの片足タイプであり、図１１に示す釣糸ガイドはさらに前足部５を加えた両足タイプのものである。
【０００４】
２本の支脚３は保持枠２の側部から斜め後方へ向けてＶの字形に配置するが、この理由は、以下の通りである。つまり、リールから繰り出した釣糸は螺旋状又は左右に波打ちながら膨らみ蛇行して進む。釣糸ガイドはこのように膨らんだ釣糸をＶの字形に配置した２本の支脚３でガイドリング１の中央へ誘導し、釣糸が釣糸ガイドの部材に絡み付くトラブルを防止する。Ｖ字形に配置した２本の支脚３は保持枠２と一体になって三角構造を構成し、釣糸ガイドの強度を高める。保持枠２から線状の足部４に向かって２本の支脚３を略直線的に配置するため、保持枠２から足部４までの距離が略最短となって釣糸ガイドの軽量化が図れる。保持枠２と支脚３と足部４とを板状の金属素材からプレスで一体に打ち抜き形成できる構造であるため、釣糸ガイドの製作が容易で安価な釣糸ガイドを提供できる。
【０００５】
さらに、前記実公平１−１７１７３号公報では、釣糸ガイドの保持枠２と支脚３と足部３を一枚の金属板から一体に打ち抜き曲げ形成する際において、両支脚３の板面が竿元側から見て両支脚３の間に位置する空間内に入り込む向きに支脚３の板材を捻り、その支脚３の板部表面を内側に向けた構造のものを提案している。そして、リールから繰り出した釣糸を一対の支脚３で掬い上げる恰好でガイドリングに導く。
【０００６】
【発明が解決しようとする課題】
ところで、リールから繰り出した釣糸は螺旋状又は左右に振れながら大きく膨らみ蛇行して釣糸ガイドに向かって進んでくる。このため、釣糸は支脚３の外側から２本の支脚３に絡み付くように動き、釣糸は支脚３に外縁から巻き付くように接触する。各支脚３の縁にはエッジ（角部）が多かれ少なかれ形成されている。特に支脚３を金属製板材から打ち抜き形成した場合にはエッジ部が鋭くなる。釣糸はその支脚３に外側から接触するため、支脚３の外側端の鋭いエッジ部分に釣糸が強く接触して擦れる結果、釣糸が傷付き易いということが判明した。
【０００７】
しかも、前述した実公平１−１７１７３号公報での釣糸ガイドでは板材を内側に向けて捻って、支脚３を形成するため、その支脚３の外側エッジ部分がより鋭くなってしまう。この結果、釣糸は外側から支脚３に接触する際において、支脚３の外側端の鋭いエッジ部分に釣糸が強く接触して擦れ、特に釣糸が傷付き易いということが判明した。
【０００８】
本発明は前記課題に着目してなされたもので、釣糸をガイドリングに誘導する支脚に釣糸が接触して傷付くことを極力防止し、且つガイドリングに向けて釣糸を円滑に案内でき、又、釣糸ガイドの製作が容易なものとすることを目的とする。又、本発明はこの釣糸ガイドの特長を生かした釣竿を提供することを目的とする。
【０００９】
【課題を解決するための手段】
請求項１に係る発明は、ガイドリングを保持した保持枠と、該保持枠から下側後方に延び前記ガイドリングに釣糸を案内する左右２本の支脚と、該支脚の下端に接続すると共に釣竿に取り付ける足部とを備えた釣糸ガイドにおいて、前記左右２本の支脚はそれぞれ竿元側から繰り出した釣糸を受け前記ガイドリングに案内するガイド面を有し、該ガイド面は前記左右支脚間中央寄りの内端側に位置する面部分が後方に位置し、外端側に位置する面部分が前方に位置するように傾斜したものである。
請求項２に係る発明は、ガイドリングを保持した保持枠と、該保持枠から下側後方に延びる左右２本の支脚と、該支脚と連続する足部とを板材から一体に形成し、前記左右の支脚における板材の後ろ側へ向く板面の左右支脚間中央寄りの内端側に位置する面部分が後方に位置し、前記板面の外端側に位置する面部分が前方に位置する向きに前記支脚の板材をねじり形成したことを特徴とする釣糸ガイドである。
請求項３に係る発明は、前記支脚のねじり形成した部分のねじり角度を前後方向軸に対して４０度から７５度の範囲に形成したことを特徴とする請求項２に記載の釣糸ガイドである。
請求項４に係る発明は、前記左右の支脚の下部を１本にまとめ、かつ、１本にまとめた前記支脚の下部に足部に至る折曲げ部を形成したことを特徴とする請求項１、請求項２、又は請求項３に記載の釣糸ガイドである。
請求項５に係る発明は、請求項１、請求項２、請求項３又は請求項４の釣糸ガイドを竿管に取り付けてなることを特徴とする釣竿である。
【００１０】
【発明の実施の形態】
本発明の実施形態に係る釣糸ガイドについて添付図面を参照して説明する。図１で示すように、釣糸ガイド１０は釣糸を挿通ガイドするガイドリング１１と、このガイドリング１１を保持する保持枠（保持フレーム）１２と、後述する釣竿１３に取り付ける足部１４と、この足部１４と前記保持枠１２を連結する２本の支脚１５を有する。保持枠１２と足部１４と支脚１５に対応した各部分は一体に連続した枠体である。
【００１１】
この枠体は、例えば、ステンレス鋼、チタン合金や繊維強化金属等の金属又はその他の材料によって形成した一枚の板材（例えば厚さ０．５〜２．０ｍｍ）から一体のものをプレス機で打ち抜いて切り出し、切り出した部材の所定部位を曲げて作る。ガイドリング１１は前記保持枠１２よりも耐磨耗性に富む材料を用いて作る。このガイドリング１１を形成する材料としては、通常、シリコンカーバイト（ＳｉＣ）であるが、アルミナオキサイド、セラミックス、タングステンカーバイト又は金属等であってもよい。又、ガイドリング１１の部材表面をダイヤモンドコーティング等で被覆してもよい。
【００１２】
次に、釣糸ガイド１０の各部について説明する。図２に示すように、２本の支脚１５それぞれの上端部は環状の保持枠１２の左右側部付近から延び出る。この支脚１５が延び出る位置は保持枠１２の中心位置よりも低く、保持枠１２の中心を通る水平線に対し保持枠１２の中心角が４５°の範囲内にある。図２に示すように、２本の支脚１５は一本の足部１４に向かって僅かに外側へ湾曲するも略直線的に収束して下端部分が１本にまとまって一体になり、この一体部分が足部１４に連続する。
【００１３】
図２に示すように、左右一対の支脚１５は略逆ハの字状又は略Ｖ字状に配置される。このような配置によって左右の支脚１５は保持枠１２の下部１６と一体の三角枠構造を形成し、又その枠内には三角形等の空間を形成する孔１７を作る。又、支脚１５は略直線的である場合に限らず、外側又は内側に丸く湾曲する形態で配置するようにしてもよい。
【００１４】
図３に示すように、右側方から釣糸ガイド１０を見たとき、左右の支脚１５は下部後方に位置する足部１４に向かって傾斜しており、折曲げ部２１を介して足部１４に接続している。又、図２に示すように、左右の支脚１５の下方部分は足部１４に至る前から一本に合体しており、この一体となった下部２２の下端付近によって前記折曲げ部２１を形成している。つまり、左右の支脚１５は一本の脚部になった下部２２において前記折曲げ部２１を形成する。このため、その折曲げ部２１の容積が増し、強度向上が図れる。
【００１５】
図２に示す、支脚１５における下部２２の高さｈとしては、この折曲げ部２１の強度や折曲げ加工性又は左右支脚１５の配置上の関係を考慮すれば、３ｍｍ〜１０ｍｍの範囲内が好ましい。又、下部２２の高さｈは、支脚１５を形成する板材の板厚の２〜５倍程度にすると良い。
【００１６】
図４や図６で示すように、前記支脚１５における下部２２は上下に沿う中央部分が後方へ突き出すように湾曲して膨らみ、この湾曲した部分は下部２２、折曲げ部２１から足部１４まで連なっている。又、図２や図４で示すように、足部１４の底面は円筒状の釣竿１３の外周に合わせた曲面状に形成する。足部１４の上表面中央部分も上方へ膨らみ、前後方向全体にわたり足部１４の横断面形状は中央部分が上方に湾曲する、三日月形状になっている。つまり、支脚１５の下部２２から折曲げ部２１を経て足部１４に至る領域にわたり、その横断面形状は同じ向きに湾曲するように三日月形状のものである。このように支脚１５の下部２２から折曲げ部２１を経て足部１４に続く部分の横断面形状が三日月状に形成であるため、この折曲げ部２１の部分での変形阻止強度が高まり、支脚１５は所定の形を維持する。
【００１７】
さらに左右の支脚１５が一体になった下部２２の高さｈを確保した前記構成と相俟って折曲げ部２１の負荷に対する変形防止強度を一層高め、ガイドリング１１の位置を安定させる。又、各部の強度を高めるので支脚１５や足部１４の部材の少量化・軽量化を図り易い。
【００１８】
図３に示すように、支脚１５の上端部２３では折り曲げられ、保持枠１２と連なっている。保持枠１２の枠面位置は図３に示す垂直線２４に一致させるか、垂直線２４に対し前方（竿先側）に倒れる角度θで保持枠１２を傾斜させてもよい。この保持枠１２の傾斜角度θとしては、２０°以下、特に５°〜２０°の範囲が好ましい。その理由は、保持枠１２を前方へ傾斜させた場合にはガイドリング１１に向かう釣糸が前方に流れ易くなり、支脚１５やガイドリング１１に釣糸を絡みにくくするが、保持枠１２の傾斜が倒れ過ぎると、ガイドリング１１の案内口径が小さくなり、実質的な糸案内空間の減少を来たすためである。
【００１９】
次に支脚１５の構造について説明する。図３に示すように、各支脚１５を横から見たとき、その支脚１５の中央部付近が後方（竿元側）へ僅かに膨らむように支脚１５の略全体が湾曲している。このように支脚１５が湾曲しているため、支脚１５に弾性が付与され、釣糸を投擲する際に釣糸から強い負荷をガイドリング１１が受けても、これを緩衝することができる。このため、強い負荷が釣竿１３まで伝わって釣竿１３を回転させてしまう等の不都合を回避できる。
【００２０】
図６に示すように、各支脚１５は後方（竿元側）から見ていずれもその左右の支脚１５間中央寄りに位置する内端部分が外端部分よりも後方へ盛り上げるように張り出すうように捻ってある。この左右の支脚１５の捻り形態は線対称である。つまり、各支脚１５の板材は外端部分がそれぞれの内端部分よりも前方（竿先側）に退いて位置し、各支脚１５の板面１５ａは後方側（竿元側）に向く。そして、板面１５ａはそれぞれ逆向きの斜め後方の外側に向くように傾斜している。この外向きの板面１５ａが釣糸ガイド面となる。このガイド面は前記左右支脚間中央寄りの内端側に位置する面部分が後方に位置し、外端側に位置する面部分が前方に位置するように傾斜する。そして、リールから大きく膨らみ蛇行してきた釣糸を受けてガイドリング１１に案内するようになっている。
【００２１】
図６に示すように、釣糸ガイド１０の前後方向の中心軸Ｌに対しての各支脚１５の最も大きな捻り角度θ１は支脚１５の中央付近で最も大きくなる。これは支脚１５の下端付近では下部２２や足部１４によって捻り加工が制限され、又、支脚１５の上端付近では保持枠１２によって捻り加工が制限される一方、支脚１５の中央付近ではその制限を受けないので、支脚１５の中央付近での捻りを最も大きくできるからである。もっとも、支脚１５の全長にわたり捻り角度θ１を極力均等に形成してもよい。又、足部１４の領域を含め、捻りを加えることが好ましい。
【００２２】
特に、支脚１５の下部の捻り角度を上部側よりも大きくすると、釣糸の初期接触で面接触する可能性が高まり、釣糸の初期接触における衝撃を緩和し、その後はガイドリング１１に向けて滑らかに誘導し、釣糸のガイド性能が高まる。
【００２３】
次に、支脚１５の捻りを最も大きな部分での捻り角度で見た場合、その捻り角度θ１は４０°〜７５°の範囲が好ましい。しかし、この捻り角度θ１をそれ以上又はそれ以下にしてもよい。ただし、捻り角度θ１を３０°未満にすると、孔１７側のエッジ部分が釣糸に当り易くなるので、３０°以上にするとよい。又、捻り角度θ１が８５°を越えると支脚１５の外側エッジが釣糸に当るようになるため、８５°以下にすることが好ましい。しかしながら、支脚１５の外向きの板面１５ａにおける外側エッジ又は内側エッジに曲面取り又は面取り加工を施すと、それによる釣糸の傷付きを防止できるので、この場合には、上記の捻り角度の範囲を越えてもよい。
【００２４】
図６では支脚１５の部分が平板状のものであるため、捻り角度θ１は支脚１５の板面１５ａの傾斜角θ２に一致する。しかし、図７に示すように、支脚１５の外側端に前方に突き出すリブ２６を一体に形成した場合にはリブ２６の突出し先端で捻り角度θ１を定める。この場合は、捻り角度θ１に比べて板面１５ａの傾斜角θ２の方が大きくなる。
【００２５】
上述したように支脚１５の外向きの板面１５ａにおける外側エッジ又は内側エッジに曲面又は平面の面取り加工を施すが、図８で示すものは外側エッジ部分に曲面状の面取り部２７を板面１５ａの領域に大きく入り込むように形成したものである。このような面取り部２７を形成すれば、釣糸の流れが良好になる。しかも、釣糸の傷付きを防ぎ、糸切れを防止することができる。
【００２６】
図９（ａ）に示すように、面取り部２７の曲面の半径Ｒを板素材の板厚をｔとするとき、（１／２）ｔ以上とするとよい。また、半径Ｒは板厚ｔ未満の範囲であることが好ましいが、それ以上であってもよいし、それ以下でもよい。又、図９（ｂ）に示すように、平面で面取りする面取り部２７の場合ではその面取り幅Ｃを０．５ｍｍ以上とするとよい。より好ましくは０．７ｍｍ〜１．２ｍｍ程度がよい。
【００２７】
上述した釣糸ガイド１０は竿元側に向けて釣竿１３に取り付ける。このとき、釣糸ガイド１０の足部１４の下面を釣竿１３の周面に当て、足部１４を糸巻と収縮チューブや接着材等で糸止め固定する。足部１４は中央部分が上方に湾曲する形状になっているため、釣竿１３の周面に密着させることができる。
【００２８】
そして、釣糸ガイド１０を使用する場合について述べる。仕掛けの投擲時、釣竿１３に装着したスピニングリールより繰り出した釣糸は螺旋状又は左右に振れながら蛇行し広がって進む。そしてガイドリング１１の手前で、２本の支脚１５に外側から接触し、ガイドリング１１の方へ滑らかに誘導される。一般に釣糸は、螺旋状又は左右に振れながら釣糸ガイド１０に向かって進んでくるため、最初に支脚１５に外側から絡み付くように接触する。しかし、前記左右の支脚１５の板面１５ａが外側に向くため、釣糸はその面によって案内され、支脚１５に接触しても両外端側のエッジに強く擦れない。よって、釣糸の傷付きや糸切れを防止できる。しかも、それぞれ外側に向き傾斜した板面１５ａに極力面接触して案内されるため、ガイドリング１１の方へ円滑に誘導できる。
【００２９】
以上のように本実施形態によれば、釣糸が支脚１５のエッジに強く擦れることが少なく、釣糸が傷付くことを防止できる。又、繰り返し投擲しても糸切れするが少なくなる。
【００３０】
尚、前記実施形態では保持枠１２と足部１４と支脚１５の各部分を板材からプレス機で打ち抜いて切り出し、支脚１５を捻り、板面１５ａを傾斜させた構造であるため、その傾斜面は捻り湾曲を付加したものあっても実質的に平なものと見るべきものである。しかし、本発明は板材の中央を後方へ突き出す向きに曲げ変形して外向き傾斜面が曲面とさせたものでもよい。又、板材を捻ることなくガイド面全長を大きく湾曲する曲面としたものでもよい。
【００３１】
前述した実施形態の釣糸ガイドでは足部が１つの片足タイプのものであったが、保持枠から前方に延びる支脚と足部を追加した両足タイプのものであってもよい。又、左右に分離した２本の支脚間の孔空間に上下に延びる第３の支脚を配設したり、左右の支脚を左右又は斜めに延びるアーム等で連結したり、２本の支脚間の孔空間内において保持枠と支脚を連結するアームを配設したりするようにしてもよい。ガイドリングは保持枠に対し直接に固定することが軽量化する上では好ましいが、ガイドリングの固定力を高めるため、合成樹脂部材等を介在させて固定してもよいし、接着剤を組み合わせて固定するようにしてもよい。ガイドリングの形状は円形のものに限らず、半円形等であってもよい。前述した実施形態のものを任意に組み合わせ、又は省略したものでもよい。
【００３２】
【発明の効果】
以上説明したように、本発明によれば、左右２本の支脚は、竿元側から繰り出した釣糸を前記ガイドリングに案内するガイド面をそれぞれ形成し、該各ガイド面は左右支脚間寄り内端側に位置する面部分が後方に位置し、外端側に位置する面部分が前方に位置するように傾斜させたから釣糸が接触して傷付くことを防止しながらガイドリングに釣糸を円滑に案内できると共に釣糸の傷付きや糸切れを防止できる。
【００３３】
又、請求項２の発明によれば、保持枠と支脚と足部とを板状の部材で一体に形成したからそれらの部分を別体のものから加工するよりも製作し易く、かつ釣糸ガイドの軽量化と高強度化が図れる。
【００３４】
又、請求項３の発明によれば、効果的に釣糸の傷付きや糸切れを防止できる。
【００３５】
又、請求項４の発明によれば、支脚の下部を１本の支脚にし、かつ、足部に至る折曲げ部を１本化したので、ガイドに前後方向の負荷が作用しても、通常、最も破損しやすい位置である支脚の下部から折り曲げ部の破損を防止できる。しかも、支脚の上部は複数本の立脚に分割しているため、支脚部分がしなり易く、立脚下部への負荷の集中を緩和でき、強度の向上、安定化を図ることが出来る。
【００３６】
さらに、請求項５の発明によれば、上記釣糸ガイドの特長を生かした釣竿を提供することが出来る。
【図面の簡単な説明】
【図１】本発明の一実施形態に係る釣糸ガイドの斜視図。
【図２】本発明の一実施形態に係る釣糸ガイドを後方から見た図。
【図３】本発明の一実施形態に係る釣糸ガイドの右側面図。
【図４】本発明の一実施形態に係る釣糸ガイドの縦断面図。
【図５】本発明の一実施形態に係る釣糸ガイドの平面図。
【図６】本発明の一実施形態に係る釣糸ガイドの支脚部分を通る横断面図。
【図７】本発明の一実施形態に係る釣糸ガイドの変形例の支脚部分を通る横断面図。
【図８】本発明の一実施形態に係る釣糸ガイドの他の変形例の支脚部分を通る横断面図。
【図９】本発明の一実施形態に係る釣糸ガイドの前側支脚におけるエッジ部分の横断面図。
【図１０】従来の釣糸ガイドの斜視図。
【図１１】他の従来の釣糸ガイドの斜視図。
【符号の説明】
１０…釣糸ガイド
１１…ガイドリング
１２…保持枠
１３…釣竿
１４…足部
１５…支脚
１６…下部
θ…傾斜角度
【図１】
2004024079.tif 000003
【図２】
2004024079.tif 000004
【図３】
2004024079.tif 000005
【図４】
2004024079.tif 000006
【図５】
2004024079.tif 000007
【図６】
2004024079.tif 000008
【図７】
2004024079.tif 000009
【図８】
2004024079.tif 000010
【図９】
2004024079.tif 000011
【図１０】
2004024079.tif 000012
【図１１】
2004024079.tif 000013